(57)【特許請求の範囲】
【請求項１】
対向して平行な一対の第１框材と、この第１框材と直交しかつ対向して平行な一対の第２框材とによって矩形状に形成された枠内に補強桟材が第１框材と平行に組み込まれてなる枠体の上面に面材が取り付けられた床パネルであって、
前記枠体には、第１補強材が、前記補強桟材に固定されて、かつ該第１補強材の両端部を前記一対の第２框材に固定されて設けられており、
さらに前記枠体には、第２補強材が、該第２補強材の両端部を前記補強桟材および一方の第１框材に固定されて設けられ、
前記第１補強材の下面が、前記補強桟材の下面より上方に位置しており、前記第１補強材の下面に、前記第２補強材が係合していることを特徴とする床パネル。
【請求項２】
請求項１記載の床パネルにおいて、
前記枠体には、第３補強材が、該第３補強材の両端部を前記補強桟材および他方の第１框材に固定されて設けられていることを特徴とする床パネル。
【請求項３】
請求項１または２に記載の床パネルにおいて、
一方の第１框材には、バルコニ腕金物を取り付けるためのボルト穴が設けられていることを特徴とする床パネル。
【請求項４】
請求項１または２に記載の床パネルにバルコニが取り付けられてなるバルコニの取付構造であって、建物の躯体に、前記床パネルがその一方の第１框材を前記躯体に設置するようにして設けられており、前記一方の第１框材にバルコニが取り付けられていることを特徴とするバルコニの取付構造。
【請求項５】
請求項３記載の床パネルにバルコニが取り付けられてなるバルコニの取付構造であって、建物の躯体に、前記床パネルがその一方の第１框材を前記躯体に設置するようにして設けられており、前記一方の第１框材には、バルコニ腕金物が前記ボルト穴にボルトを挿通してナットで締め付けることによって固定されており、前記バルコニ腕金物にバルコニが取り付けられていることを特徴とするバルコニの取付構造。
【発明の詳細な説明】
【０００１】
【発明の属する技術分野】
本発明は、建築物の床に係わり、詳細には、床パネルおよびバルコニの取付構造に関する。
【０００２】
【背景の技術】
近年、住宅の構築については、部材の工場生産化が進み、例えば、壁や床、屋根といった構成部材を予め工場にて組み立てておき、建築現場でこれらの構成部材を組み立てることによって住宅を構築するといった工法が採用されている。前記のような工法に用いられる床部材として、例えば、特開平０９−１２５５７９号公報記載の床パネルがある。これは、図５（ａ）に示すような床パネル１００であって、縦框材１０１と横框材１０２とが矩形状に組み立てられるとともに、この矩形枠の内部に補強桟材１０３が縦框材１０１と平行な方向に組まれて枠体１０４が形成され、この枠体１０４の表面に合板やフローリング等の面材１０５が貼設されたものである。そしてこの床パネル１００は、図５（ｂ）に示すように縦框材１０１どうしが当接するように隣接して配置される。
【０００３】
【発明が解決しようとする課題】
図５（ａ）に示す床パネル１００に、バルコニ部材を取り付ける場合、床パネル１００からバルコニ腕金物を設け、該バルコニ腕金物にバルコニを取り付ける、という工法が採用される。しかし、図５（ａ）に示す床パネル１００においては、その構造上、バルコニ部材を取り付けられる方向が第１框材と平行に制約されていた。すなわち、図５（ｂ）に示すように、隣接された床パネル１００の、縦框材側１０７には、片持ちとなるバルコニにより発生する強い捻り力に対抗するための剛性を確保することができなかったため、バルコニを取り付けることはできなかった。そして上記の制約は、建築のプランニング等にも影響を及ぼしていた。
本発明の課題は、矩形状の床パネルで、両方向にバルコニを取り付けることが可能となる床パネルおよびバルコニの取付構造を提供することである。
【０００４】
【課題を解決するための手段】
上記課題を解決すために、請求項１記載の発明は、例えば図１に示すように、対向して平行な一対の第１框材４と、この第１框材４と直交しかつ対向して平行な一対の第２框材５とによって矩形状に形成された枠内に補強桟材６が第１框材４と平行に組み込まれてなる枠体２の上面に面材３が取り付けられた床パネル１であって、前記枠体２には、第１補強材７が、前記補強桟材６に固定されて、かつ該第１補強材７の両端部を前記一対の第２框材５に固定されて設けられており、さらに前記枠体２には、第２補強材８が、該第２補強材８の両端部を前記補強桟材６および一方の第１框材４ａに固定されて設けられ、
前記第１補強材７の下面が、前記補強桟材の６下面より上方に位置しており、前記第１補強材７の下面に、前記第２補強材８が係合していることを特徴としている。
【０００５】
請求項１記載の発明によれば、前記枠体２には、第１補強材７が、該第１補強材７の両端部を前記一対の第２框材５に固定されて設けられている。さらに前記枠体２には、第２補強材８が、該第２補強材８の両端部を前記補強桟材６および前記一方の第１框材４ａに固定されて設けられている。
この構造により、前記一方の第１框材４ａに捻り力が作用した場合には、反作用として前記第２補強材８に曲げ応力が作用し、これと同時に前記第２補強材８に、該曲げ応力を低減させるため、前記第１補強材７を押圧する方向に回転力が発生する。そして、前記第１補強材７が前記第２補強材８の回転を拘束するため、前記第２補強材８には曲げ応力が作用する。
すなわち、前記一方の第１框材４ａに捻り力が作用した場合、該捻り力を前記第２補強材８に、その曲げ応力として負担させることができ、これにより前記一方の第１框材４ａが捻れることを防止することができる。したがって、第１框材４ａにバルコニを取り付けた場合でも、該バルコニを確実に支持できる。第２框材５には従来と同様、バルコニを取り付けることができるので、請求項１記載の床パネル１は、両方向にバルコニを取り付けることができる。
【０００６】
なお、前記一方の第１框材４ａに捻り力が作用する場合としては、例えば図２（ｆ）に示すように、前記一方の第１框材４ａにバルコニ腕金物１１を取り付け、前記バルコニ腕金物１１に部材として工場生産されたバルコニを取り付ける場合等が挙げられる。
【０００８】
また、前記第１補強材７の下面が、前記補強桟材６の下面より上方に位置しており、前記第１補強材７の下面に、前記第２補強材８が係合している。この構造により、前期第１補強材７は、前記一方の第１框材４ａに捻り力が作用した場合の反作用としての前記第２補強材８の前記第１補強材７を押圧する方向に発生する回転力に対して確実に抵抗し、その結果、前記第２補強材８には曲げ応力が作用する。すなわち、前記第２補強材８が回転することを確実に防止することができ、これにより前記一方の第１框材４ａに発生した捻り力を、確実に前記第２補強材８に、その曲げ応力として負担させることができる。そしてその結果、前記一方の第１框材４ａが捻れることをより確実に防止することができる。
【０００９】
なお、前記第１補強材７と前記補強桟材６とを係合する方法としては、例えば、
前記第２補強材８の一端部に切り欠き部を設けておき、該切り欠き部に前記第１補強材７をはめ込む等の方法が挙げられる。
【００１０】
請求項２記載の発明は、請求項１記載の床パネル１において、前記枠体２には、第３補強材９が、該第３補強材９の両端部を前記補強桟材６および他方の第１框材４ｂに固定されて設けられていることを特徴としている。
【００１１】
請求項２記載の発明によれば、前記枠体２には、第３補強材９が、該第３補強材９の両端部を前記補強桟材６と前記他方の第１框材４ｂに固定されて設けられている。ところで、前記一方の第１框材４ａに捻り力が作用した場合、その反作用として前記第２補強材８には前記第１補強材７を押圧する方向に回転力が発生し、これに対する反作用として、前記第１補強材７および前記補強桟材６には捻り力が作用する。そして前記補強桟材６には、前記第３補強材９が固定されて設けられているため、前記捻り力に対する反作用として、該第３補強材９に曲げ応力が作用する。すなわち、前記一方の第１框材４ａに捻り力が作用した場合の反作用としての前記第１補強材７および前記補強桟材６の捻り力を、前記第３補強材９にその曲げ応力として負担させることができる。これにより前記第１補強材７および前記補強桟材６が捻れることを防止することができ、その結果、前記一方の第１框材４ａが捻れることをさらに確実に防止することができる。
【００１２】
請求項３記載の発明は、請求項１または２に記載の床パネル１において、前記一方の第１框材４ａには、バルコニ腕金物１１を取り付けるためのボルト穴１０ａが設けられていることを特徴としている。
【００１３】
請求項３記載の発明によれば、前記一方の第１框材４ａには、バルコニ腕金物１１を取り付けるためのボルト穴１０ａが設けられている。したがって、前記一方の第１框材４ａに、バルコニを取り付けるためのバルコニ腕金物１１を、前記ボルト穴１０ａにボルト１２ａを挿通してナット１３ａで閉め付けることによって固定して設けることができる。
【００１４】
請求項４記載の発明は、請求項１または２に記載の床パネル１にバルコニが取り付けられてなるバルコニの取付構造であって、建物の躯体１９に、前記床パネル１がその一方の第１框材４ａを前記躯体１９に設置するようにして設けられており、前記一方の第１框材４ａにバルコニが取り付けられていることを特徴としている。
【００１５】
請求項４記載の発明によれば、前記床パネル１が、前記一方の第１框材４ａに捻れ力が作用する場合においても、該捻れ力に、前記第１補強材７や前記第２補強材８により、その曲げ応力として対抗できる構造となっている。そして前記床パネル１は、その一方の第１框材４ａを前記躯体１９に設置するようにして設けられており、この第１框材４ａにバルコニが取り付けられているので、該バルコニを確実に支持できる。以上により、前記床パネル１の前記一方の第１框材４ａ側にバルコニを設けることができる。
【００１６】
請求項５記載の発明は、請求項３記載の床パネル１にバルコニが取り付けられてなるバルコニの取付構造であって、建物の躯体１９に、前記床パネル１がその一方の第１框材４ａを前記躯体１９に設置するようにして設けられており、前記一方の第１框材４ａには、バルコニ腕金物１１が前記ボルト穴１０ａにボルト１２ａを挿通してナット１３ａで締め付けることによって固定されており、前記バルコニ腕金物１１にバルコニが取り付けられていることを特徴としている。
【００１７】
請求項５記載の発明によれば、前記床パネル１が、前記一方の第１框材４ａに捻れ力が作用する場合においても、該捻れ力に、前記第１補強材７や前記第２補強材８により、その曲げ応力として対抗できる構造となっている。そして前記床パネル１はその一方の第１框材４ａを前記躯体１９に設置するようにして設けられ、さらに、前記一方の第１框材４ａには、バルコニ腕金物１１が前記ボルト穴１０ａにボルト１２ａを挿通してナット１３ａで締め付けることによって固定されている。このバルコニ腕金物１１にバルコニが取り付けられているので、床パネル１にバルコニを容易に取り付けることができる。
【００１８】
図１および図２において、符号１は床パネルを示す。図１は床パネル１の斜視図を示す。図２において、図２（ａ）は面材３を取り除いた床パネル１の平面図、図２（ｂ）は面材３の平面図、図２（ｃ）は床パネル１の側面図、図２（ｄ）は床パネル１の正面図、図２（ｅ）は第１補強材７、第２補強材および第３補強材９を取り付ける工程を示す床パネル１の側断面図、図２（ｆ）は躯体１９である壁に設置された床パネル１および床パネル１に取り付けられたバルコニを示す側断面図である。
図１および図２に示すように、床パネル１は、釘等によって固定される框材や補強材によって形成される枠体２と該枠体２の上面に、釘等により固定して設けられる面材３とによって構成されている。なお、前記面材３は合板やフローリング等である。
【００１９】
図１および図２に示すように、前記枠体２には、対抗して平行となるように一対の第１框材４が配され、この第１框材４と直交しかつ対抗して平行となるように一対の第２框材５が、前記一対の第１框材４に釘等によって固定されて設けられている。
さらに一本の補強桟材６が、前記第１框材４と平行となり、さらに前記一対の第１框材４のほほ中央となるように、該補強桟材６の両端部を前記一対の第２框材５に釘等によって固定されて設けられている。
また一本の第１補強材７が、該第１補強材７の両端部を前記一対の第２框材５に釘等によって固定され、かつ前記補強桟材６に釘等によって固定されて設けられている。
さらにボルト１２ｃによって２本ずつ一体化された合計８本の前記第２補強材８が、前記第２框材５と平行となるように所定間隔で４箇所配され、該第２補強材８の両端部を、前記一方の第１框材４ａと前記補強桟材６とに釘等によって固定されて設けられている。  なお、２本の前記第２補強材８は、ボルト穴１０ｃにボルト１２ｃを挿通してナット１３ｃで締め付けることによって緊結されているが、釘等を打ち込むことによって固定されてもよい。
そして、前記第１補強材７が、該第１補強材７の上面が前記第２補強材８の下面に係合するように、前記第２補強材８に設けられた切り欠き部にはめ込まれ、釘等によって固定されている。
さらに、２本ずつ当接した合計８本の前記第３補強材９が、前記第２框材５と平行となるように所定間隔で４箇所配され、該第３補強材９の両端部を前記補強桟材６と前記他方の第１框材４ｂとに釘等によって固定されて設けられている。なお、前記第３補強材９と前記第２補強材８の、前記補強桟材６に取り付く該補強桟材６の軸方向における位置は一致している。
さらに前記枠体２には、２枚の前記面材３が連接して配され、釘等によって貼設されている。
【００２０】
また、図２（ｅ）に示すように、前記第１補強材７、前記第２補強材８および第３補強材９は、以下の順序で取り付ける。
先ず、前記第２補強材８を、前記一方の第１框材４ａおよび前記補強桟材６に、前記一方の第１框材４ａ側および前記補強桟材６側から釘等を打ち込んで固定する。
次に、前記第３補強材９を、前記補強桟材６および前記他方の第１框材４ｂに、前記補強桟材６側および前記他方の第１框材４ｂ側から釘等を打ち込んで固定する。この際、前記補強桟材６側からは、前記第２補強材８の切り欠き部を利用して、釘等を斜め打ちすることによって固定する。
さらに、前記第２補強材８の切り欠き部に、前記第１補強材７をはめ込み、釘等を打ち込んで固定する。
【００２１】
図３は、床パネル１を構成する部品の詳細な形状を示す図である。
図３（ａ）は、前記一方の第１框材４ａを示す図である。図３（ａ）に示すように矩形状の板材である。また、バルコニ腕金物１１を取り付けるためのボルト穴１０ａが、所定間隔で合計１６個設けられている。なお、前記一方の第１框材４ａは木製である。
図３（ｂ）は、前記他方の第１框材４ｂを示す図である。図３（ｂ）に示すように矩形状の板材である。また、隣接する別の床パネル１と連結するためのボルト穴１０ｂが、所定間隔で合計４個設けられている。さらに、両端部の下部には、矩形状の切り欠き部が設けられている。なお、前記他方の第１框材４ｂは木製である。
図３（ｃ）は、前記第２框材５を示す図である。図３（ｃ）に示すように矩形状の板材である。また、両端部および中央部には、溝が設けられており、前記第１框材４および前記補強桟材６をはめ込むことができるようになっている。なお、前記第２框材５は木製である。
図３（ｄ）は、前記補強桟材６を示す図である。図３（ｄ）に示すように矩形状の板材である。両端部の下部には、矩形状の切り欠き部が設けられており、外形は図３（ｂ）に示す前記他方の第１框材４ｂと同一であるが、図３（ｂ）に示すボルト穴１０ａは設けられていない。なお、前記補強桟材６は木製である。
図３（ｅ）は、前記第１補強材７を示す図である。図３（ｅ）に示すように角材である。なお、前記第１補強材７は木製である。
図３（ｆ）は、前記第２補強材８を示す図である。図３（ｆ）に示すように矩形状の板材である。また、一端部には矩形状の切り欠き部が設けられており、前記第１補強材７をはめ込むことができるようになっている。なお、前記第２補強材８は木製である。
図３（ｇ）は、前記第３補強材９を示す図である。図３（ｇ）に示すように矩形状の板材である。なお、前記第３補強材９は木製である。
【００２２】
図４は、床パネル１にバルコニを取り付ける工程を示す斜視図である。
先ず、前記床パネル１の前記一方の第１框材４ａに、４つのバルコニ腕金物１１を、所定間隔で設けられたボルト穴１０ａにボルト１２ａを挿通してナット１３ａで締め付けることによって固定する。さらに４つの前記バルコニ腕金物１１を繋ぐように、それらの上面に継ぎ材１３をネジ等により固定する。そして躯体１９である壁に、壁面取付金物１４を釘等により固定して設ける。次に前記一方の第１框材４ａに、水切り１５を釘等により固定して設ける。さらに、前記一方の第１框材４ａに固定した前記バルコニ腕金物１１に、バルコニ本体１６を係合させ、さらに釘等により固定して設ける。次に、前記一方の第１框材４ａに固定した前記バルコニ腕金物１１に、手摺１７を係合させ、さらに釘等により固定して設ける。最後に、前記バルコニ本体１６および前記バルコニ腕金物１１に、デッキ材１８を上載し、釘等により固定して設ける。以上により、前記床パネル１にバルコニを設けることができる。
【００２３】
本実施の形態によれば、以下のような効果を得ることができる。
▲１▼前記一方の第１框材４ａに捻り力が発生した場合には、反作用として前記第２補強材８に曲げ応力が作用し、これと同時に該曲げ応力を低減させるために前記第２補強材８には前記第１補強材７を押圧する方向に回転力が発生する。そして、前記第２補強材８の回転力に対する反作用として、前記第１補強材７および前記補強桟材６には捻り力が作用する。さらに、前記第１補強材７および前記補強桟材６に対する捻り力に対する反作用として、前記第３補強材９には曲げ応力が作用する。
すなわち、前記床パネル１は、前記一方の第１框材４ａに捻れ力が作用する場合においても、該捻れ力に、前記第１補強材７や前記第２補強材８により、その曲げ応力として対抗できる構造となっている。これに加えて前記床パネル１は、その一方の第１框材４ａを前記躯体に設置するようにして設けられている。
以上により、前記床パネル１の前記一方の第１框材４ａにバルコニを設けることができる。
【００２４】
▲２▼前記一方の第１框材４ａには、バルコニ腕金物１１を取り付けるためのボルト穴１０ａが設けられている。したがって、前記一方の第１框材４ａに、バルコニを取り付けるためのバルコニ腕金物１１を、ボルト穴１０ａにボルト１２ａを挿通してナット１３ａで締め付けることによって固定して設けることができる。そして、前記バルコニ腕金物１１に部材として工場生産されたバルコニを取り付けることにより、バルコニを容易に設けることができる。
【００２５】
▲３▼前記第２框材５には、両端部および中央部に溝が設けられている。これにより、前記第１框材４や前記補強桟材６の両端部の、前記第２框材５に対する位置が正確に確定され、また、接合部の応力伝達が確実に行われる。したがって、精度がよい、構造的に安全な床パネルを作成することができる。
【００２６】
▲４▼前記床パネル１の前記他方の第１框材４ｂには、ボルト穴１０ｂが設けられている。そして、このボルト穴１０ｂからボルト１２ｂを挿通し、ナット１３ｂで締め付けることにより、前記床パネル１と、隣接する別の床パネル１とを緊結することができる。
【００２７】
▲５▼前記補強桟材６および前記他方の第１框材４ｂには、両端部に矩形状の切り切り欠き部が設けられている。したがって躯体である壁に、矩形状の切り欠き部を係合させることによって、前記床パネル１の位置が正確に確定され、精度よく施工を行うことができる。
【００２８】
▲６▼前記第１補強材７には、ボルト穴１０ｃが設けられている。そして、このボルト穴１０ｃからボルト１２ｃを挿通し、ナット１３ｃで締め付けることにより、２本の前記第１補強材７を緊結して一体化させることができる。これにより、前記一方の框材４ａに作用する捻り力に対して、前記第１補強材７を、より強固な部材として対抗させることができる。
【００２９】
▲７▼前記床パネル１に固定された４つの前記バルコニ腕金物１１は、それぞれ前記継ぎ材１３に固定されている。したがって、前記バルコニ腕金物１１の横ぶれを防止し、地震等でバルコニに水平力が作用する場合にも安全な構造とすることができる。
【００３０】
なお、本実施の形態においては、前記一方の第１框材４ａ側にバルコニを設けているが、従来の床パネル１００と同様、前記第２框材５側にもバルコニを設けることができることは勿論である。
【００３１】
【発明の効果】
請求項１記載の発明によれば、前記一方の第１框材に捻り力が作用した場合、該捻り力を前記第２補強材に、その曲げ応力として負担させることができ、これにより前記一方の第１框材が捻れることを防止することができる。したがって、第１框材にバルコニを取り付けた場合でも、該バルコニを確実に支持できる。第２框材には従来と同様、バルコニを取り付けることができるので、請求項１記載の床パネルは、両方向にバルコニを取り付けることができる。
【００３２】
また、前記一方の第１框材に捻り力が作用した場合の反作用としての前記第２補強材の前記第１補強材を押圧する方向に発生する回転力に対して確実に抵抗し、前記第２補強材が回転することを確実に防止することができる。これにより前記一方の第１框材に発生した捻り力を、確実に前記第２補強材に、その曲げ応力として負担させることができる。そしてその結果、前記一方の第１框材が捻れることをより確実に防止することができる。
【００３３】
請求項２記載の発明によれば、請求項１記載の発明と同様の効果が得られることは勿論のこと、前記一方の第１框材に捻り力が作用した場合の反作用としての前記第１補強材および前記補強桟材の捻り力を、前記第３補強材にその曲げ応力として負担させることができる。これにより前記第１補強材および前記補強桟材が捻れることをさらに確実に防止することができ、その結果、前記一方の第１框材が捻れることを防止することができる。
【００３４】
請求項３記載の発明によれば、請求項１または２に記載の発明と同様の効果が得られることは勿論のこと、前記一方の第１框材には、バルコニ腕金物を取り付けるためのボルト穴が設けられている。したがって、前記一方の第１框材に、バルコニを取り付けるためのバルコニ腕金物を、前記ボルト穴にボルトを挿通してナットで閉め付けることによって固定して設けることができる。
【００３５】
請求項４記載の発明によれば、前記床パネルが、前記一方の第１框材に捻れ力が作用する場合においても、該捻れ力に、前記第１補強材や前記第２補強材により、その曲げ応力として対抗できる構造となっている。そして前記床パネルは、その一方の第１框材を前記躯体に設置するようにして設けられており、この第１框材にバルコニが取り付けられているので該バルコニを確実に支持することができる。したがって、前記床パネルの前記一方の第１框材にバルコニを設けることができる。
【００３６】
請求項５記載の発明によれば、前記床パネルが、前記一方の第１框材に捻れ力が作用する場合においても、該捻れ力に、前記第１補強材や前記第２補強材により、その曲げ応力として対抗できる構造となっている。そして前記床パネルはその一方の第１框材を前記躯体に設置するようにして設けられ、さらに、前記一方の第１框材には、バルコニ腕金物が前記ボルト穴にボルトを挿通してナットで締め付けることによって固定されている。このバルコニ腕金物にバルコニが取り付けられているので、床パネルにバルコニを容易に取り付けることができる。
【図面の簡単な説明】
【図１】本発明の床パネルの一例を示すものであり、床パネルの斜視図である。
【図２】本発明の床パネルの一例を示すものであり、（ａ）は面材を取り除いた床パネルの平面図、（ｂ）は面材の平面図、（ｃ）は床パネルの側面図、（ｄ）は床パネルの正面図、（ｅ）は第１補強材、第２補強材および第３補強材を取り付ける工程を示す床パネルの側断面図、（ｆ）は躯体に設置された床パネルおよび床パネルに取り付けられたバルコニを示す側断面図である。
【図３】本発明の床パネルを構成する部品を示すもので、（ａ）は一方の第１框材、（ｂ）は他方の第１框材、（ｃ）は第２框材、（ｄ）は他方の第１框材、（ｅ）は第１補強材、（ｆ）は第２補強材、（ｇ）は第３補強材を示す図である。
【図４】本発明の床パネルにバルコニを取り付ける工程を示す斜視図である。
【図５】従来の床パネルを示すものであり、（ａ）は床パネルの斜視図、（ｂ）は建築物に設置された床パネルを示す平面図である。
【符号の説明】
１      床パネル
２      枠体
３      面材
４      第１框材
４ａ    一方の第１框材
４ｂ    他方の第１框材
５      第２框材
６      補強桟材
７      第１補強材
８      第２補強材
９      第３補強材
１０ａ  ボルト穴
１１    バルコニ腕金物
１２ａ  ボルト
１３ａ  ナット
１９    躯体
【図１】
0004499911.tif 000002
【図２】
0004499911.tif 000003
【図３】
0004499911.tif 000004
【図４】
0004499911.tif 000005
【図５】
0004499911.tif 000006